(57)【要約】【課題】    単一の同軸ケーブルのみでリモートセキュリティ監視システムの各装置間を接続し、配線設計の簡略化、各ケーブル分業施工の排除及びシステム機能拡大の要求すべてに理想的に対応でき、簡略化と迅速化を実現したリモートセキュリティ監視システム装置の提供。【解決手段】    リモートセキュリティ監視システムは、１つまたは複数のカメラと、１つまたは複数のデジタル録画再生機と、１つまたは複数のコントローラと、人員による監視に用いる１つまたは複数の監視器と、を含み、該システムの各装置間は同軸ケーブルにより接続され、該同軸ケーブルにより電源、映像、音声、制御及び検知信号等が伝送され、該リモートセキュリティ監視システム装置の信号発射端は、信号を変調後同軸ケーブルを介して受信端に信号を伝送し、信号の受信端は信号を復調後、制御ユニット、録画ユニット、録音ユニットまたは電源供給ユニット等の各受信処理ユニットに伝送する。【選択図】    図２ 
0003105904.tif 000002
【実用新案登録請求の範囲】
【請求項１】
同軸ケーブルでリモートセキュリティ監視システムを接続して構成され、そのうち、リモートセキュリティ監視システムは、リモートセキュリティ監視システム用の１つまたは複数のカメラと、リモートセキュリティ監視システム用の１つまたは複数のデジタル録画再生機と、リモートセキュリティ監視システム用の１つまたは複数のコントローラと、人員による監視に用いる１つまたは複数の監視器とを含み、 該リモートセキュリティ監視システムの各装置間は同軸ケーブルにより接続され、該同軸ケーブルにより電源、映像、音声、制御信号及び検知信号等が伝送され、且つ、該システムは外部ネットワーク機器または電信伝送制御によりインターネットでの制御及び監視が可能であり、さらに、リモートセキュリティ監視システム装置の信号発射端は、信号を変調後同軸ケーブルを介して受信端に信号を伝送し、信号の受信端は信号を復調後、制御ユニット、録画ユニット、録音ユニットまたは電源供給ユニット等の各受信処理ユニットに伝送するよう構成されたことを特徴とする、セキュリティ監視システム装置。
【考案の詳細な説明】
【技術分野】
【０００１】
本考案は、迅速な設置が可能なセキュリティ監視システム装置に関し、特に、セキュリティ監視システム内の各リモート装置と近端装置間を単一の同軸ケーブルのみの配設で電源の伝送、映像、音声及び制御検知信号の伝送等を行い、効果的に設置工程の複雑さを簡略化及び改善し、システム内の監視カメラは、従来の製品のように相互配線の不便さと設置工程の複雑さを招いていた複数の伝送ケーブルの配線を必要とせず、大幅に設置コストとケーブル材費用を抑えることができ、同時に配線設計と施工において有利である、セキュリティ監視システム装置に関する。
【背景技術】
【０００２】
従来のセキュリティ監視システム装置は、図１に示すように、単一のコントローラの配線・設置の際、電源供給には電源供給線、映像伝送には映像伝送ケーブル、音声には音声伝送ケーブル、制御信号には制御信号伝送ケーブル、検知信号には検知信号ケーブル等、それぞれに特有の電源または信号の伝送を行なっている。即ち、馬車馬それぞれが各自働いている状態で、完全にいかなる統合性も備えていないため、最終的に施工上の複雑性とケーブル材のコストが増すという結果になっている。この問題はセキュリティ監視システムについて言えば致命的と言え、同時にコントローラの機能や設計範囲の拡大などが制限されてしまい、複数場所でのリモート監視管理ができないため、これら重大な実用性の問題と無駄が業者や消費者のコストの負担を形成してしまう結果となっており、改善が求められている。
【０００３】
セキュリティ監視システムは、金融機関や会社、商店、事務所、街頭等ですでに重要な役割を果たしているだけでなく、現在は一般家庭にも普及が広がっている。このため、セキュリティ監視システムの実際の使用面においては、科学技術知識と技術性の大幅な進歩の下、セキュリティ監視システム専用の周辺機器が次から次へと出現しており、例えば、リニア制御式の映像、音声、録画、制御検知伝送及びインターネットを介しての映像、音声、録画及び制御検知伝送等、セキュリティ監視システムの難度及び複雜性は絶え間なく強化されその深さを増し、相対的に派生して配線設計及び配線工事にこれまでにない問題が発生し、配線材料の大量な損耗に繋がるだけでなく、設置工事費用が高く、セキュリティ監視システムの実用性に大きく影響し、解決及び改善が必要である。このため、本考案はこれら問題を解決することを重要課題としている。
【考案の開示】
【考案が解決しようとする課題】
【０００４】
本考案は、単一の同軸ケーブルのみでリモートセキュリティ監視システムの各装置間を接続し、従来の設置配線の問題を完全に解決することができ、特に、配線設計の簡略化、各ケーブル分業施工の排除及びシステム機能拡大の要求すべてに理想的に対応でき、真の簡略化と迅速化を実現することができるリモートセキュリティ監視システム装置を提供することを目的とする。
【課題を解決するための手段】
【０００５】
本考案は、リモートセキュリティ監視システム及び同軸ケーブルから構成され、そのうち、リモートセキュリティ監視システムは、複数の本リモートセキュリティ監視システム専用のカメラと、一つまたは複数のリモートセキュリティ監視システム専用のデジタル録画再生機と、一つまたは複数のリモートセキュリティ監視システム専用のコントローラと、人員が監視する画面として用いる一つまたは複数の監視器とを含み、このリモートセキュリティ監視システムの各装置間は、１つの同軸ケーブルで接続され、このケーブルを利用して電源、映像、音声、制御及び検知信号等の伝送を行うことができ、且つ、このシステムは外部ネットワーク装置または電信伝送制御により、インターネット制御及び監視が可能である。
【０００６】
本考案のリモートセキュリティ監視システム装置の信号発射端は、信号を変調後、同軸ケーブルを介して受信端に送り、この信号を受信端が復調した後、制御ユニット、録画ユニット、録音ユニットまたは電源供給ユニット等各受信処理ユニットに送り、電源はＤＣ５０Ｖ以下またはＡＣ５０Ｖ以下とし、近端装置からリモート装置に変圧及び電圧安定後供給される。この装置によりリモートセキュリティ監視システムの各装置間が単一の同軸ケーブルのみで接続され、ケーブル伝送が備えているべき電源、映像、音声、制御及び検知信号等の伝送機能を達することができる。
【考案の効果】
【０００７】
本考案のセキュリティ監視システム装置によれば、単一の同軸ケーブルのみを必要とし、リモートセキュリティ監視システム装置の信号発射端を介し、信号を変調後同軸ケーブルで受信端へ送信し、この信号受信端は信号を復調後、制御ユニット、録画ユニット、録音ユニットまたは電源供給ユニット等、各受信処理ユニットに送信する。これにより前述の設置配線の問題を完全に解決することができ、進歩性と実用性を備え、コストを抑えることができる利点がある。特に、配線設計の簡略化、各ケーブル分業施工の排除及びシステム機能拡大の要求すべてに理想的に対応でき、真の簡略化と迅速化を達成することができる。
【考案を実施するための最良の形態】
【０００８】
図２に示すように、本考案のリモートセキュリティ監視システムは、１つまたは複数のカメラ１、１つまたは複数のデジタル録画再生機２、１つまたは複数のデジタルコントローラ３、１つまたは複数の監視器４から構成され、且つ、このリモートセキュリティ監視システムの各装置間は１つの同軸ケーブル５で接続され、電源、映像、音声制御及び検知信号が相互間で伝送される。
【０００９】
そのうち、カメラ１は映像キャプチャユニット１１、音声キャプチャユニット１２、検知ユニット１３、制御ユニット１４、作動ユニット１５、レギュレータユニット１６、変調器１７及び復調器１８から構成され、そのうち、映像キャプチャユニット１１は、ＣＣＤ（ＣＯＭＳ）等感光部品から映像を取り込み、デジタル信号処理器による処理を経て信号を発信する。音声キャプチャユニット１２は、マイクロフォンから音声信号を取り込んだ後、拡大して送信する。検知ユニット１３は、接触式のスイッチ、遠赤外線センサ、遮断式センサの一つまたはその組み合わせにより構成され、状況を検知して信号を送信する。制御ユニット１４は、マイクロプロセッサとすることができ、指令及び状況検知を受信し各ユニットのパラメータを制御し、カメラの動作方式を決定する。作動ユニット１５は、モータ駆動器及び歯車により構成され、制御ユニット１４の指令により上、下、左、右及びレンズ調整及びフォーカスの動作を実行する。レギュレータユニット１６は、交換式電源及びレギュレータ部品から成り、同軸ケーブル上の電力を各ユニットが必要とするＤＣ１２Ｖ、５Ｖ、３．３Ｖ等の電源に変換する。変調器１７は、映像キャプチャユニット１１、音声キャプチャユニット１２及び検知ユニット１３の信号をそれぞれ異なる特定の周波数変調に変調した後、同軸ケーブル５に送信する。復調器１８は、同軸ケーブル５上の特定周波数信号を変調・復調を経た後、制御ユニット１４に送信する。
【００１０】
デジタル録画再生機２は、制御ユニット２１、録画ユニット２２、録音ユニット２３、変調器２４、復調器２５及び電源供給ユニット２６から構成され、そのうち、制御ユニット２１はマイクロプロセッサとすることができ、外部コントローラ及び状況検知を受信し指令を発して各ユニットのパラメータの制御と、動作方式の決定及びリモートカメラの制御を行なう。録画ユニット２２は、映像及び制御ユニットの指令を受信し、映像を保存器へ録画するか、監視器で再生する。録音ユニット２３は、音声及び制御ユニットの指令を受信し映像を保存器へ録音するか、スピーカで再生する。変調器２４は、制御ユニット１１の信号を  それぞれ異なる特定の周波数変調に変調した後、同軸ケーブル５に送信する。復調器２５は、同軸ケーブル５上の特定周波数信号を変調・復調を経た後、制御ユニット２１、録画ユニット２２及び録音ユニット２３に送信する。電源供給ユニット２６は、外部から供給される電源を内部各ユニット及び同軸ケーブルに供給する。
【００１１】
デジタルコントローラ３は、制御ユニット３１、変調器３２及び復調器３３から構成され、そのうち、制御ユニット３１はマイクロプロセッサとすることができ、ボタン及び状況検知を受信し指令を発してリモートカメラ及びデジタル録画再生機を制御する。変調器３２は、制御ユニット１１の信号をそれぞれ異なる特定の周波数変調に変調した後同軸ケーブル５へ送信する。復調器３３は、同軸ケーブル５上の特定周波数信号を変調・復調を経た後制御ユニット３１及び監視器へ送信する。
【００１２】
前述の各装置の信号発射端が発する信号は。変調器１７、２４、３２での変調を経た後、すべて同軸ケーブル５により受信端へ送られ、復調器（１８、２５、３３）による復調を経た後、各処理ユニットに送られて処理される。これにより単一の同軸ケーブル５によるリモートセキュリティ監視システムの異なるユニットへの伝送が可能となる。但し、電源供給についてはＤＣ５０Ｖ以下またはＡＣ５０Ｖ以下とし、近端装置からリモート装置に供給され、変圧及び電圧安定を経た後、リモート装置へ供給される。
【００１３】
前述の装置及び設計により、図３に示すシステム構造が形成され、配線の簡略化と配線システムの拡大が可能となり、エリア的セキュリティ監視システムが完成される。
【図面の簡単な説明】
【００１４】
【図１】従来のセキュリティ監視システムを示すダイアグラムである。
【図２】本考案のセキュリティ監視システムを示すダイアグラムである。
【図３】本考案のシステム構成の実施例を示す模式図である。
【符号の説明】
【００１５】
１        カメラ
１１      映像キャプチャユニット
１２      音声キャプチャユニット
１３      検知ユニット
１４      制御ユニット
１５      作動ユニット
１６      レギュレータユニット
１７      変調器
１８      復調器
２        デジタル録画再生機
２１      制御ユニット
２２      録画ユニット
２３      録音ユニット
２４      変調器
２５      復調器
２６      電源供給ユニット
３        デジタルコントローラ
３１      制御ユニット
３２      変調器
３３      復調器
４        監視器
５        同軸ケーブル
【図１】
0003105904.tif 000003
【図２】
0003105904.tif 000004
【図３】
0003105904.tif 000005